(57)【要約】【課題】レフィル容器の交換時の操作性を向上させる。【解決手段】二重容器１は、有底筒状の外容器１０と、外容器内に収納されるとともに、外容器に対して上昇可能な着脱位置と、着脱位置から螺着方向に向けて回転移動した装着位置と、の間で、外容器に対して回転移動可能に設けられた、内容物を収容する有底筒状のレフィル容器２０と、外容器に螺着された外装キャップ３０と、を備える。外装キャップには、レフィル容器が着脱位置にあり、外装キャップが螺着方向へと回転移動するときに、レフィル容器に設けられた回転係合部２５ａと係合することで、レフィル容器を装着位置に向けて容器軸回りに回転移動させるキャップ側係合部３２ａが設けられている。【選択図】図１
2019026346.tif 000002
【特許請求の範囲】
【請求項１】
有底筒状の外容器と、
前記外容器に螺着された外装キャップと、
前記外容器内に収納されるとともに、前記外容器に対して上昇可能な着脱位置と、容器軸回りに沿う周方向のうち前記外装キャップが前記外容器に螺着される螺着方向に向けて前記着脱位置から回転移動した装着位置と、の間で、前記外容器に対して回転移動可能に設けられた、内容物を収容する有底筒状のレフィル容器と、を備え、
前記外容器には、
前記レフィル容器が前記装着位置にあるときに、前記螺着方向への前記レフィル容器の回転移動を規制する第１回転規制部と、
前記レフィル容器が前記装着位置にあるときに、前記レフィル容器の前記外容器に対する上昇を規制する上昇規制部と、が設けられ、
前記外装キャップには、
前記レフィル容器が前記着脱位置にあり、前記外装キャップが前記螺着方向へと回転移動するときに、前記レフィル容器に設けられた回転係合部と係合することで、前記レフィル容器を前記装着位置に向けて容器軸回りに回転移動させるキャップ側係合部が設けられていることを特徴とする、二重容器。
【請求項２】
前記レフィル容器には、前記レフィル容器が前記装着位置にあるときに前記上昇規制部と上下方向で対向するレフィル側係合部が設けられ、
前記上昇規制部には、前記レフィル容器が前記着脱位置にあるときに、前記レフィル側係合部が上下に通過可能な孔部が設けられていることを特徴とする、請求項１に記載の二重容器。
【請求項３】
内容物を収容する有底筒状のレフィル容器と、
前記レフィル容器の開口部に嵌合された蓋と、を備え、
前記蓋には、前記蓋が前記レフィル容器に対して容器軸回りに回転移動したときに、前記レフィル容器に設けられた回転係合部に対して、容器軸回りに沿う周方向で当接する蓋側係合部が設けられていることを特徴とする、蓋付レフィル容器。
【請求項４】
前記蓋には、前記蓋の前記レフィル容器に対する上昇を規制する嵌合突起が形成されていることを特徴とする、請求項３に記載の蓋付レフィル容器。
【発明の詳細な説明】
【技術分野】
【０００１】
本発明は、二重容器および蓋付レフィル容器に関する。
【背景技術】
【０００２】
従来から、下記特許文献１に示されるような二重容器が知られている。この二重容器は、内容物を収容する有底筒状のレフィル容器と、レフィル容器を内部に収納する有底筒状の外容器と、外容器に螺着された外装キャップと、を備えている。この二重容器では、レフィル容器の内容物が無くなった場合などに、レフィル容器を交換することで再び内容物を使用可能な状態とすることができる。
【先行技術文献】
【特許文献】
【０００３】
【特許文献１】特開２０１６−１９３７４１号公報
【発明の概要】
【発明が解決しようとする課題】
【０００４】
ところで、この種の二重容器では、例えばレフィル容器の内容物がクリーム状などである場合に、レフィル容器の開口部に内容物が付着することで、レフィル容器を把持した際に手指が滑ってしまい、レフィル容器の交換がしにくい場合があった。
【０００５】
本発明はこのような事情を考慮してなされたもので、レフィル容器の交換時の操作性を向上させることを目的とする。
【課題を解決するための手段】
【０００６】
上記課題を解決するために、本発明の二重容器は、有底筒状の外容器と、前記外容器に螺着された外装キャップと、前記外容器内に収納されるとともに、前記外容器に対して上昇可能な着脱位置と、容器軸回りに沿う周方向のうち前記外装キャップが前記外容器に螺着される螺着方向に向けて前記着脱位置から回転移動した装着位置と、の間で、前記外容器に対して回転移動可能に設けられた、内容物を収容する有底筒状のレフィル容器と、を備え、前記外容器には、前記レフィル容器が前記装着位置にあるときに、前記螺着方向への前記レフィル容器の回転移動を規制する第１回転規制部と、前記レフィル容器が前記装着位置にあるときに、前記レフィル容器の前記外容器に対する上昇を規制する上昇規制部と、が設けられ、前記外装キャップには、前記レフィル容器が前記着脱位置にあり、前記外装キャップが前記螺着方向へと回転移動するときに、前記レフィル容器に設けられた回転係合部と係合することで、前記レフィル容器を前記装着位置に向けて容器軸回りに回転移動させるキャップ側係合部が設けられていることを特徴とする。
【０００７】
本発明の二重容器では、レフィル容器に回転係合部が形成されているため、外容器内の使用済レフィル容器を交換する場合には、回転係合部に周方向で当接する蓋側係合部を備えた蓋を使用済レフィル容器に取り付けることで、蓋とともに使用済レフィル容器を装着位置から着脱位置へと回転移動させることができる。着脱位置では、使用済レフィル容器が外容器に対して上昇可能であるため、蓋とともに使用済レフィル容器を引き上げて、外容器から取り外すことができる。
また、新たなレフィル容器を外容器内に挿入し、外装キャップを外容器に対して螺着方向に回転移動させると、キャップ側係合部と回転係合部とが係合して、レフィル容器が装着位置に向けて容器軸回りに回転移動する。つまり、外装キャップを外容器に取り付ける操作によって、レフィル容器が着脱位置から装着位置へと自ずと回転移動することとなる。
以上のように、本発明の二重容器によれば、レフィル容器の交換時の操作性を向上させることができる。
【０００８】
ここで、前記レフィル容器には、前記レフィル容器が前記装着位置にあるときに前記上昇規制部と上下方向で対向するレフィル側係合部が設けられ、前記上昇規制部には、前記レフィル容器が前記着脱位置にあるときに、前記レフィル側係合部が上下に通過可能な孔部が設けられていてもよい。
【０００９】
この場合、レフィル容器が装着位置にある場合には上昇規制部とレフィル側係合部とが上下方向で当接するため、レフィル容器の外容器に対する上昇が確実に規制される。また、レフィル容器が着脱位置にある場合には、レフィル側係合部が、上昇規制部に設けられた孔部を上下に通過可能となり、レフィル容器が外容器に対して上昇可能な状態となる。このように、装着位置にあるレフィル容器の上昇を規制し、着脱位置にあるレフィル容器の上昇を可能とする機能を、簡易な構成で実現することができる。
【００１０】
また、本発明の蓋付レフィル容器は、有底筒状のレフィル容器と、前記レフィル容器の開口部に嵌合された蓋と、を備え、前記蓋には、前記蓋が前記レフィル容器に対して容器軸回りに回転移動したときに、前記レフィル容器に設けられた回転係合部に対して、容器軸回りに沿う周方向で当接する蓋側係合部が設けられていることを特徴とする。
【００１１】
本発明の蓋付レフィル容器によれば、二重容器の使用済レフィル容器を交換する際に、蓋付レフィル容器が備える蓋を二重容器内の使用済レフィル容器に取り付けて、この蓋を容器軸回りに回転移動させたときに、蓋側係合部と回転係合部とが当接するため、蓋と共にレフィル容器を回転移動させることができる。これにより、使用済レフィル容器の開口部に内容物が付着している場合などであっても、蓋を介して使用済レフィル容器に確実に回転力を加えることができる。さらに、例えば蓋を使用済レフィル容器に取り付けたまま廃棄することで、使用済レフィル容器に付着した内容物によって使用者の手が汚れることなども抑えることができる。
以上により、レフィル容器の交換時の操作性を向上させることができる。
【００１２】
ここで、前記蓋には、前記蓋の前記レフィル容器に対する上昇を規制する嵌合突起が形成されていてもよい。
【００１３】
この場合、使用済レフィル容器に蓋を取り付けた際に、嵌合突起が使用済レフィル容器に対する蓋の上昇を規制するため、蓋を引き上げることで、蓋と共にレフィル容器を引き上げることができる。このように、レフィル容器を上昇させる力を、蓋を介して確実に加えることが可能となり、レフィル容器の交換時の操作性を向上させることができる。
【発明の効果】
【００１４】
本発明によれば、レフィル容器の交換時の操作性を向上させることができる。
【図面の簡単な説明】
【００１５】
【図１】本実施形態に係る二重容器の縦断面図である。
【図２】図１の二重容器の下面図である。
【図３】図１の外装キャップ単体の下面図である。
【図４】図１の外容器の上面図である。
【図５】蓋付レフィル容器の縦断面図である。
【図６】図５の蓋の単体図であり、（ａ）は上面図、（ｂ）は縦断面図、（ｃ）は下面図である。
【図７】使用済レフィル容器に蓋を取り付けた状態を示す縦断面図である。
【図８】図７の状態から、蓋およびレフィル容器を着脱位置へと容器軸回りに回転させた状態を示す図であり、（ａ）は縦断面図であり、（ｂ）は下面図である。
【図９】図８（ａ）の状態からレフィル容器を引き上げた状態を示す縦断面図である。
【図１０】新たなレフィル容器を外容器にセットする様子を示す縦断面図である。
【図１１】変形例に係るレフィル容器の単体図であり、（ａ）は上面図、（ｂ）は半縦断面図である。
【図１２】他の変形例に係るレフィル容器の単体図であり、（ａ）は上面図、（ｂ）は側面図である。
【発明を実施するための形態】
【００１６】
以下、本実施形態に係る二重容器の構成を、図１〜図１２を参照しながら説明する。
図１に示すように、二重容器１は、内容物を収容する有底筒状のレフィル容器２０と、レフィル容器２０を収納した筒状の外容器１０と、外容器１０に着脱自在に取り付けられて、レフィル容器２０の開口部を閉塞する外装キャップ３０と、を備えている。外装キャップ３０は、外容器１０に螺着されている。
二重容器１は、例えばクリーム等の内容物を収容したレフィル容器２０を備えるジャー容器として用いることができる。
【００１７】
（方向定義）
ここで本実施形態では、レフィル容器２０および外容器１０の中心軸は共通軸上に配置されている。以下では、この共通軸を容器軸Ｏといい、容器軸Ｏに沿う方向を上下方向という。また、上下方向に沿うレフィル容器２０の底壁２２側を下方といい、レフィル容器２０の開口部側を上方という。また、上下方向から見た平面視において、容器軸Ｏに直交する方向を径方向といい、容器軸Ｏ回りに周回する方向を周方向という。また、周方向のうち、外装キャップ３０が外容器１０に螺着される方向を螺着方向といい、その逆方向を緩み方向という。
【００１８】
（装着位置および着脱位置）
レフィル容器２０は、外容器１０に対して上昇可能な着脱位置と、着脱位置から容器軸Ｏ回りに沿う螺着方向へと回転移動した装着位置と、の間で、外容器１０に対して回転移動可能な状態で、外容器１０内に収納されている。例えば、図１および図２はレフィル容器２０が装着位置にある状態を示しており、図８（ａ）、（ｂ）はレフィル容器２０が着脱位置にある状態を示している。装着位置にある場合、レフィル容器２０の外容器１０に対する螺着方向への回転移動が規制され、着脱位置にある場合、レフィル容器２０の外容器１０に対する緩み方向への回転移動が規制される。
【００１９】
（外容器）
外容器１０は、外筒部１１と、外筒部１１の上端開口部から径方向内側に延びる環状部１２と、環状部１２の内周縁から上下に延びる内筒部１３と、内筒部１３の上端開口縁から上方に延びる上筒部１４と、内筒部１３の下端開口縁から下方に延びる筒状の上昇規制部１５と、を有している。
内筒部１３のうち、環状部１２よりも上方に位置する部分の外周面には、外装キャップ３０の雌ネジ部と螺合する雄ネジ部が形成されている。内筒部１３の下端部は、下方に向かうに従って漸次縮径し、径方向外側に向けて凸となるように湾曲している。
【００２０】
上昇規制部１５は、レフィル容器２０が装着位置にあるときに、レフィル容器２０の外容器１０に対する上昇を規制する。図２に示すように、上昇規制部１５における周方向の一部には、この上昇規制部１５を上下方向に貫通する孔部１５ａが形成されている。孔部１５ａは、上面視で扇形に形成されている。孔部１５ａは、上昇規制部１５に、周方向に等間隔を空けて一対形成されている。
【００２１】
図２に示すように、外容器１０には、第１回転規制部１６ａおよび第２回転規制部１６ｂが設けられている。第１回転規制部１６ａは、レフィル容器２０が装着位置にある場合に、レフィル容器２０の螺着方向への回転移動を規制することで、レフィル容器２０を装着位置に位置決めする役割を有している。第２回転規制部１６ｂは、レフィル容器２０が着脱位置にある場合に、レフィル容器２０の緩み方向への回転移動を規制することで、レフィル容器２０を着脱位置に位置決めする役割を有している。第１回転規制部１６ａおよび第２回転規制部１６ｂは、内筒部１３の湾曲部から下方に向けて延びるリブ状に形成されている。
【００２２】
上筒部１４の外径は内筒部１３の外径よりも小さい。図４に示すように、上筒部１４の外周面には、径方向外側に向けて突出する第１突起１４ａおよび第２突起１４ｂが形成されている。第１突起１４ａおよび第２突起１４ｂの間には、周方向の隙間が設けられている。第２突起１４ｂは、第１突起１４ａよりも径方向外側に大きく突出している。また、第１突起１４ａおよび第２突起１４ｂは、周方向に等間隔を空けてそれぞれ一対形成されている。
【００２３】
（外装キャップ）
図１に示すように、外装キャップ３０は、有頂筒状の外キャップ３１と、外キャップ３１の内側に嵌合された有頂筒状の内キャップ３２と、内キャップ３２の頂壁に取り付けられた円板状のパッキン３３と、パッキン３３と内キャップ３２の頂壁との間に設けられた環状部材３４と、を備えている。なお、外キャップ３１および内キャップ３２は一体に形成されていてもよい。内キャップ３２の内周面には、外容器１０の雄ネジ部と螺合する雌ネジ部が形成されている。
【００２４】
図１および図３に示すように、外装キャップ３０には、内キャップ３２の頂壁から下方に向けて突出するキャップ側係合部３２ａが設けられている。キャップ側係合部３２ａは、内キャップ３２の頂壁と周壁とが交わる隅部に配置されている。キャップ側係合部３２ａは、周方向に等間隔を空けて一対形成されている。
外装キャップ３０を外容器１０に対して容器軸Ｏ回りの螺着方向に回転させると、内キャップ３２の雌ねじ部と外容器１０の雄ねじ部とが螺合して外装キャップ３０が下降し、パッキン３３がレフィル容器２０の開口部に押し付けられる。これにより、外装キャップ３０が外容器１０に固定されるとともに、レフィル容器２０の開口部が密封される。
【００２５】
（レフィル容器）
図１に示すように、レフィル容器２０は、周壁２１と、底壁２２と、底壁２２から下方に向けて延びる筒状の脚部２３と、周壁２１の上端開口縁から径方向外側に向けて延びる環状のフランジ部２５と、フランジ部２５の外周縁から下方に向けて延びる中筒部２６と、を有している。
さらに、レフィル容器２０には、フランジ部２５から上方に向けて突出する回転係合部２５ａと、脚部２３の下端部から径方向外側に突出するレフィル側係合部２４と、中筒部２６の内周面から径方向内側に向けて突出するレフィル側突起２６ａと、が形成されている（図５参照）。
【００２６】
回転係合部２５ａは、周方向に等間隔を空けて一対形成されている。回転係合部２５ａは、外装キャップ３０のキャップ側係合部３２ａに対して周方向で対向している。
図２に示すように、レフィル側係合部２４は、下面視で扇形に形成されている。レフィル側係合部２４は、外容器１０の孔部１５ａを挿通可能に設けられている。レフィル側係合部２４は、周方向に等間隔を空けて一対形成されている。レフィル側係合部２４は、レフィル容器２０が装着位置にあるときに、外容器１０の上昇規制部１５に上下方向で対向する。なお、レフィル側係合部２４の形状は、扇形に限らず、上昇規制部１５に対して上下方向で当接し、孔部１５ａを通過可能な形状であればよい。
【００２７】
レフィル側突起２６ａは、レフィル容器２０が外容器１０に対して容器軸Ｏ回りに回転移動したときに、第１突起１４ａを乗り越え可能であり、第２突起１４ｂを乗り越え不能に形成されている。レフィル側突起２６ａは、中筒部２６の内周面に、周方向に等間隔を空けて一対形成されている。レフィル側突起２６ａは、外容器１０の第１突起１４ａと第２突起１４ｂとの間に位置したときに、レフィル容器２０が外容器１０に対して容器軸Ｏ回りに相対的に回転して着脱位置へ移動することを防ぐ役割を有している。なお、この構成に代えて、外容器１０およびレフィル容器２０の一方にローレットを形成し、他方にこのローレットと係合する複数の突部を形成してもよい。
【００２８】
（蓋付レフィル容器）
レフィル容器２０は、二重容器１内に収納された状態で流通・販売される他、図５に示すように、閉塞シートＳおよび蓋４０が取り付けられた状態で、蓋付レフィル容器２として流通・販売される。閉塞シートＳは、例えばアルミニウム製のシート材であり、蓋付レフィル容器２内の内容物を密封している。
【００２９】
（蓋）
図５および図６（ａ）〜（ｃ）に示すように、蓋４０は有頂筒状に形成されている。蓋４０は、レフィル容器２０の開口部を覆う円板状の天壁４１と、天壁４１の外周縁から下方に向けて延びる嵌合筒部４２と、天壁４１から上方に向けて延びる板状の摘み部４４と、を有している。
嵌合筒部４２は、レフィル容器２０の中筒部２６に外嵌される。嵌合筒部４２の下端部には、径方向内側に向けて突出し、中筒部２６の下端部にアンダーカット嵌合する嵌合突起４２ａが形成されている。図６（ｃ）に示すように、嵌合突起４２ａは、周方向に延びるとともに、周方向に等間隔を空けて複数形成されている。蓋付レフィル容器２の状態では、蓋４０はレフィル容器２０に嵌合されているが、蓋４０若しくはレフィル容器２０を弾性変形させることで嵌合を解除し、蓋４０をレフィル容器２０から取り外すことができる。
【００３０】
蓋４０のうち、天壁４１と嵌合筒部４２とが交わる隅部には、蓋側係合部４３が形成されている。蓋側係合部４３は、天壁４１から下方に向けて突出するとともに、嵌合筒部４２から径方向内側に向けて突出している。蓋側係合部４３は、周方向に等間隔を空けて一対形成されている。蓋側係合部４３は、レフィル容器２０の回転係合部２５ａと周方向で対向する。
【００３１】
次に、以上のように構成された二重容器１および蓋付レフィル容器２の作用について説明する。
【００３２】
二重容器１内の使用済レフィル容器２０を交換する場合、まず、外装キャップ３０を外容器１０に対して緩み方向へと回転させる。これにより、外容器１０の雄ネジ部と外装キャップ３０の雌ネジ部とが螺合し、外装キャップ３０が上昇して、外装キャップ３０が取り外される。
次に、図５に示すような新品の蓋付レフィル容器２を用意し、その蓋４０を取り外す。このとき、例えば嵌合筒部４２の下端部が径方向外側に広がるように蓋４０が弾性変形することで、嵌合突起４２ａのアンダーカット嵌合が解除される。取り外された蓋４０を、外容器１０内の使用済レフィル容器２０に取り付けると、図７に示す状態となる。
【００３３】
図７に示す状態から、蓋４０の摘み部４４を摘んで容器軸Ｏ回りの緩み方向へと回転移動させると、蓋４０の蓋側係合部４３と使用済レフィル容器２０の回転係合部２５ａとが周方向で互いに当接する。これにより、蓋４０およびレフィル容器２０の周方向の相対移動が規制され、蓋４０および使用済レフィル容器２０が共に緩み方向へと回転移動する。図８（ａ）、（ｂ）に示すように、使用済レフィル容器２０が緩み方向へと回転移動して着脱位置に到達すると、レフィル側係合部２４が第２回転規制部１６ｂに周方向で当接する。これにより、使用済レフィル容器２０が緩み方向へと着脱位置を超えて回転移動することが抑えられる。
【００３４】
使用済レフィル容器２０が着脱位置にある場合、使用済レフィル容器２０のレフィル側係合部２４と外容器１０の孔部１５ａとの周方向における位置が一致し、レフィル側係合部２４が孔部１５ａ内を通過可能な状態となる。すなわち、上昇規制部１５による規制が解除されて、使用済レフィル容器２０が外容器１０に対して上昇可能となる。図９に示すように、蓋４０の摘み部４４若しくは嵌合筒部４２を把持して上方に引き上げると、嵌合突起４２ａが中筒部２６にアンダーカット嵌合しているため、蓋４０と共にレフィル容器２０も上方に引き上げられる。これにより、使用済レフィル容器２０が外容器１０から取り外される。取り外された蓋４０および使用済レフィル容器２０は廃棄してもよい。
【００３５】
次に、図１０に示すように、先述の蓋付レフィル容器２から蓋４０を取り外した、新たなレフィル容器２０を、外容器１０内に挿入する。このとき、レフィル側係合部２４と孔部１５ａとの周方向の位置が一致していない場合には、レフィル容器２０を外容器１０に対して容器軸Ｏ回りに回転させる。これにより、レフィル側係合部２４と孔部１５ａとの周方向における位置が一致した時点で、レフィル側係合部２４が孔部１５ａ内に落ち込むことでレフィル容器２０が下降し、レフィル容器２０が着脱位置に位置することとなる。なお、閉塞シートＳはこの時点でレフィル容器２０から取り外してもよく、この前後で取り外してもよい。
【００３６】
次に、外装キャップ３０を外容器１０に対して螺着させる。このとき、外装キャップ３０が螺着方向へと回転移動すると、外装キャップ３０のキャップ側係合部３２ａが、レフィル容器２０の回転係合部２５ａに、周方向で当接する。これにより、レフィル容器２０の外装キャップ３０に対する容器軸Ｏ回りの回転移動が規制され、外装キャップ３０と共にレフィル容器２０が螺着方向へと回転移動する。このとき、レフィル容器２０のレフィル側突起２６ａが外容器１０の第１突起１４ａを周方向に乗り越えることでクリック感が生じるとともに、レフィル容器２０のレフィル側係合部２４が外容器１０の第１回転規制部１６ａに周方向で当接する。これにより、レフィル容器２０が装着位置に到達したことを使用者に認識させつつ、レフィル容器２０の装着位置を超えた回転移動を規制することができる。また、レフィル側突起２６ａが第１突起１４ａと第２突起１４ｂとの間に位置することで、レフィル容器２０の外容器１０に対する容器軸Ｏ回りの位置が安定する。
【００３７】
以上説明したように、本実施形態によれば、例えばレフィル容器２０の内容物が、レフィル容器２０の開口部に付着したり、外容器１０とレフィル容器２０との間の隙間に入り込んだりしても、蓋４０を用いてレフィル容器２０を回転させて引き上げることで、容易にレフィル容器２０を外容器１０から取り外すことができる。また、蓋４０を用いてレフィル容器２０を取り外し、蓋４０とともにレフィル容器２０を廃棄することで、使用済レフィル容器２０の廃棄の際に手指などに内容物が付着することが抑えられる。
また、新たなレフィル容器２０を外容器１０にセットした後、外装キャップ３０を外容器１０に螺着させる操作を行うことで、レフィル容器２０が着脱位置から装着位置へと自ずと移動する。従って、レフィル容器２０の交換時の操作性を向上させることができる。
【００３８】
なお、本発明の技術的範囲は前記実施の形態に限定されるものではなく、本発明の趣旨を逸脱しない範囲において種々の変更を加えることが可能である。
【００３９】
例えば、前記実施形態では、レフィル容器２０の回転係合部２５ａはフランジ部２５から上方に向けて突出していたが、回転係合部２５ａの形態はこれに限られない。例えば、図１１（ａ）、（ｂ）に示すレフィル容器２０Ａのように、フランジ部２５の上面から下方に向けて窪む溝部２５ｂを形成し、溝部２５ｂの周方向の端面を回転係合部２５ｃとして用いてもよい。この溝部２５ｂは、周方向に等間隔を空けて２つ形成されるとともに、容器軸Ｏ回りに９０°の範囲で延在している。この形態では、外装キャップ３０のキャップ側係合部３２ａ若しくは蓋４０の蓋側係合部４３が溝部２５ｂ内に進入した状態で、キャップ側係合部３２ａ若しくは蓋側係合部４３が溝部２５ｂの周方向の端面である回転係合部２５ｃに当接することで、外装キャップ３０若しくは蓋４０とレフィル容器２０Ａとが容器軸Ｏ回りに共に回転する。なお、レフィル容器２０Ａは、レフィル容器２０における回転係合部２５ａの上端面の高さを、フランジ部２５の上面の高さまで下げたものであるともいえる。
【００４０】
また、溝部２５ｂが周方向に延在する範囲は適宜変更可能である。例えば図１２（ａ）、（ｂ）に示すレフィル容器２０Ｂのように、溝部２５ｂが容器軸Ｏ回りに約１８０°の範囲で延在していてもよい。
【００４１】
また、前記実施形態では、レフィル側係合部２４が、レフィル容器２０の上昇および回転移動の双方を規制するために用いられていたが、レフィル側係合部２４は上昇若しくは回転移動の一方を規制するために用いられてもよい。この場合、レフィル容器２０の上昇若しくは回転移動の他方を規制するための係合部を別途レフィル容器２０に設ければよい。
【００４２】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４３】
１…二重容器  ２…蓋付レフィル容器  １０…外容器  １４ａ…第１突起  １４ｂ…第２突起  １５…上昇規制部  １５ａ…孔部  １６ａ…第１回転規制部  １６ｂ…第２回転規制部  ２０…レフィル容器  ２４…レフィル側係合部  ２５ａ…回転係合部  ２６ａ…レフィル側突起  ３０…外装キャップ  ３２ａ…キャップ側係合部  ４０…蓋  ４２ａ…嵌合突起  ４３…蓋側係合部
【図１】
2019026346.tif 000003
【図２】
2019026346.tif 000004
【図３】
2019026346.tif 000005
【図４】
2019026346.tif 000006
【図５】
2019026346.tif 000007
【図６】
2019026346.tif 000008
【図７】
2019026346.tif 000009
【図８】
2019026346.tif 000010
【図９】
2019026346.tif 000011
【図１０】
2019026346.tif 000012
【図１１】
2019026346.tif 000013
【図１２】
2019026346.tif 000014